(57)【要約】  【課題】収納棚を十分冷却しつつ、扉を開けた時の負荷を最小限に抑え、効率を高くする。  【解決手段】開口部３を有する断熱箱体と、収納棚６を有する開口部３を開閉可能な扉５と、開口部３に設置され、開口部３全体を被い且つ扉５が閉状態の時に扉５よりも開口部３の奥側に位置する開閉可能な内扉１６で構成し、扉５が閉状態の時に内扉１６が開状態となるので、扉５が閉まっている時に、収納棚６に庫内の冷気を循環させることができるため、収納棚６内を低温に保つことができ、冷却性能の高い冷蔵庫とすることができる。【選択図】図２
2009293894.tif 000002
【特許請求の範囲】
【請求項１】
開口部を有する断熱箱体と、収納棚を有する前記開口部を開閉可能な扉と、前記開口部に設置され、前記開口部全体を被い且つ前記扉が閉状態の時に前記扉よりも前記開口部の奥側に位置する開閉可能な内扉を備え、前記扉が閉状態の時に前記内扉が開状態となり、前記扉が開状態の時に前記内扉が閉状態となるように前記内扉を備えた請求項１に記載の冷蔵庫。
【請求項２】
扉が開状態で且つ収納物を出し入れする際には、内扉を開状態とする請求項１に記載の冷蔵庫。
【請求項３】
内扉は透可性の材料にて構成された請求項１または２に記載の冷蔵庫。
【請求項４】
内扉は電動で開閉する請求項１から３のいずれか一項に記載の冷蔵庫。
【請求項５】
内扉に物体が近づいたことをセンサーにより検知した場合に、前記内扉を開閉する請求項２に記載の冷蔵庫。
【請求項６】
内扉の表面に親水性の材料を塗布した請求項１から５のいずれか一項に記載の冷蔵庫。
【請求項７】
親水性材料を二酸化チタンとした請求項６に記載の冷蔵庫。
【発明の詳細な説明】
【技術分野】
【０００１】
本発明は、貯蔵室内に保存されている保存物を取り出す際に、庫内の冷気が外部へ流出することを抑制して省エネルギー化を図る冷蔵庫に関するものである。
【背景技術】
【０００２】
冷蔵庫に省エネルギーが求められるようになって久しいが、現在でも省エネルギー競争は激しく、圧縮機の効率向上、断熱箱体の断熱性能向上などにより省エネルギーが図られている。そのような中、扉開閉時に庫内の冷気が外部に漏れるのを抑制した冷蔵庫が提案されている（特許文献１）。
【０００３】
以下、図面を参照しながら上記従来の冷蔵庫を説明する。
【０００４】
図３は従来の冷蔵庫の扉を開けた状態の正面図であり、図４は従来の冷蔵庫の縦断面図である。図３、図４において、冷蔵庫本体１は多段に間仕切りされた複数の貯蔵室２を備え、開口部３のやや内側に透視可能なプラスチック製の内扉４を備えており、内扉４を閉じることにより開口部３を外気と遮断する。また、開口部３の片側には扉５が軸支されており、扉５を閉じることにより、開口部３が完全に被われ貯蔵室２内と外気を完全に遮断する構成となっている。
【０００５】
また、扉５の貯蔵室２側には収納棚６を備えており、缶飲料やドレッシングなどの小物を貯蔵できるようになっている。
【０００６】
冷蔵庫運転中、貯蔵室２内に設置された冷却器７とファン８により冷気を循環させることにより貯蔵室２内が低温に保たれる。この時、貯蔵室２内に保存物を入れたり、貯蔵室２内から保存物を出したりする際には扉５を開くこととなる。
【０００７】
通常の冷蔵庫においては、扉５を開けると貯蔵室２内と外気は連通状態となり、扉５を閉めるまで、貯蔵室２内の冷気が熱拡散や自然対流により庫外に流出する。この結果、貯蔵室２内の温度が上昇し、温度を所定温度以下に下げるために冷却運転をしなければならない。
【０００８】
また、扉５を開けてから閉めるまでの時間には、貯蔵室内の保存物を出し入れする他に、貯蔵室内の保存物を確認する時間も含まれる。
【０００９】
これに対し、従来の冷蔵庫においては、内扉４を備えることにより、扉５を開けただけでは貯蔵室２内は外気と連通されず、冷気も庫外に流出することはない。
【００１０】
従って、保存物の確認を内扉４を閉めたまま行い、保存物の出し入れを内扉４を開けて行うことにより、保存物を確認する間の貯蔵室２内の冷気の流出が無くなり、貯蔵室２内の温度上昇を最小限に抑えることができ、消費電力量を低減することができた。
【特許文献１】特開平８−４９９６１号公報
【発明の開示】
【発明が解決しようとする課題】
【００１１】
しかしながら、上記従来の構成では、扉５を閉めた状態では、内扉４が閉まった状態となり、貯蔵室２内を循環する冷気は内扉４より外には流れない。従って、内扉４より外側にある収納棚６内に冷気は循環せず、収納棚６内の冷えが鈍くなるという課題があった。
【００１２】
本発明は、上記従来の課題を解決するもので、収納棚６内を貯蔵室２内を循環する冷気により冷却できる冷蔵庫を提供することを目的とする。
【課題を解決するための手段】
【００１３】
上記従来の課題を解決するために、本発明の冷蔵庫は、開口部を有する断熱箱体と、収納棚を有する前記開口部を開閉可能な扉と、前記開口部に設置され、前記開口部全体を被い且つ前記扉が閉状態の時に前記扉よりも前記開口部の奥側に位置する開閉可能な内扉を備え、前記扉が閉状態の時に前記内扉が開状態となり、前記扉が開状態の時に前記内扉が閉状態となるように前記内扉を備えたものである。
【００１４】
これによって、貯蔵室の開口部を内扉と扉で二重に塞ぐ上に、収納棚内の収納物を取る際に扉を開いても内扉で貯蔵室内と外気を遮断することができるため、貯蔵室内の冷気の貯蔵室外への流出を無くすことができ、貯蔵室の断熱性能を向上させることができるとともに、扉が閉まっている時に、収納棚に庫内の冷気を循環させることができるため、収納棚内を低温に保つことができる。
【００１５】
また、本発明の冷蔵庫は、扉が開状態で且つ収納物を出し入れする際に内扉が開状態となる。
【００１６】
これによって、扉が開いている状態で内扉が開くのは、貯蔵室内に収納物を出し入れする時のみとなり、扉を開いた状態で内扉を開ける時間を短縮することができ、貯蔵室内の冷気の貯蔵室外への流出を抑制することができる。
【００１７】
また、本発明の冷蔵庫は、内扉を透可性の材料にて構成している。
【００１８】
これによって、内扉を閉めた状態で貯蔵室内を確認することができるため、扉を開いた状態で内扉を開ける時間を短縮することができ、貯蔵室内の冷気の貯蔵室外への流出を抑制することができる。
【００１９】
また、本発明の冷蔵庫は、内扉が電動で開閉する。
【００２０】
これによって、貯蔵室内に保存物を出し入れする際に内扉を開ける手間が省ける。
【００２１】
また、本発明の冷蔵庫は、内扉に物体が近づいたことをセンサーにより検出し、内扉を開閉する。
【００２２】
これによって、扉が開いている状態で内扉が開くのは、内扉の近傍に手や収納物が近づいた時のみとなり、扉を開いた状態で内扉を開ける時間を短縮することができ、貯蔵室内の冷気の貯蔵室外への流出を抑制することができる。
【００２３】
また、本発明の冷蔵庫は、内扉表面に親水性の材料を塗布している。
【００２４】
これによって、扉を開いて外気が内扉に触れて表面に結露しても、表面が親水性であるため曇ることはない。
【００２５】
また、本発明の冷蔵庫は、親水性材料を二酸化チタンとしている。
【００２６】
これによって、扉を開けた時に二酸化チタンの光触媒作用で内扉表面の細菌や汚れを分解することができる。
【発明の効果】
【００２７】
本発明の冷蔵庫は、扉を閉めた際にも収納棚を十分冷却しつつ、扉を開けた時の負荷を最小限に抑え、効率を高くすることができる。
【発明を実施するための最良の形態】
【００２８】
請求項１に記載の発明は、開口部を有する断熱箱体と、収納棚を有する前記開口部を開閉可能な扉と、前記開口部に設置され、前記開口部全体を被い且つ前記扉が閉状態の時に前記扉よりも前記開口部の奥側に位置する開閉可能な内扉を備え、前記扉が閉状態の時に前記内扉が開状態となり、前記扉が開状態の時に前記内扉が閉状態となるように前記内扉を備えたので、貯蔵室の開口部を内扉と扉で二重に塞ぐ上に、収納棚内の収納物を取る際に扉を開いても内扉で貯蔵室内と外気を遮断することができるため、貯蔵室内の冷気の貯蔵室外への流出を無くすことができ、貯蔵室の断熱性能を向上させることができ、効率の高い冷蔵庫とすることができる。さらに、扉が閉まっている時には、収納棚に庫内の冷気を循環させることができるため、収納棚内を低温に保つことができ、冷却性能の高い冷蔵庫とすることができる。
【００２９】
請求項２に記載の発明は、扉が開状態で且つ収納物を出し入れする際に内扉が開状態となるので、扉を開いた状態で内扉を開ける時間を短縮することができ、貯蔵室内の冷気の貯蔵室外への流出を抑制することができ、効率の高い冷蔵庫とすることができる。
【００３０】
請求項３に記載の発明は、内扉を透可性の材料にて構成しているので、内扉を閉めた状態で貯蔵室内を確認することができるため、扉を開いた状態で内扉を開ける時間を短縮することができ、貯蔵室内の冷気の貯蔵室外への流出を抑制することができ、効率の高い冷蔵庫とすることができる。
【００３１】
請求項４に記載の発明は、内扉が電動で開閉するので、貯蔵室内に保存物を出し入れする際に内扉を開ける手間が省け、使い勝手の良い冷蔵庫とすることができる。
【００３２】
請求項５に記載の発明は、内扉に物体が近づいたことをセンサーにより検知した場合に、前記内扉を開閉するものであり、これによって扉が開いている状態で内扉が開くのは、内扉の近傍に手や収納物が近づいた時のみとなり、扉を開いた状態で内扉を開ける時間を短縮することができ、貯蔵室内の冷気の貯蔵室外への流出を抑制することができ、効率の高い冷蔵庫とすることができる。
【００３３】
請求項６に記載の発明は、内扉表面に親水性の材料を塗布しているので、扉を開いて外気が内扉に触れて表面に結露しても、表面が親水性であるため曇ることはなく、貯蔵室内の収納物を容易に確認できるため、扉を開けている時間を短縮でき、効率の高い冷蔵庫とすることができる。
【００３４】
請求項７に記載の発明は、親水性材料を二酸化チタンとしているので、扉を開けた時に二酸化チタンの光触媒作用で内扉表面の細菌や汚れを分解することができ、クリーンな冷蔵庫とすることができる。
【００３５】
以下、本発明の実施の形態について、図面を参照しながら説明する。なお、この実施の形態によってこの発明が限定されるものではない。
【００３６】
また、従来と同一構成についてはその動作、作用は同様であり、説明を省略する。
【００３７】
（実施の形態１）
図１は、本発明の実施の形態１による冷蔵庫の扉を開けた時の正面図であり、図２は同実施の形態の冷蔵庫の縦断面図である。
【００３８】
図１、図２において、断熱箱体である冷蔵庫本体９は前面側に開口部３を有する貯蔵室１０を備えており、貯蔵室１０の開口部３は扉５で開閉自在に閉塞されており、冷蔵庫本体９には冷却器１１と、冷却器１１により生成された冷気を貯蔵室１０内に循環させるファン１２と吸い込み口１３及び吹き出し口１４を備えたダクト１５を備えている。
【００３９】
貯蔵室１０内には扉５を閉めた状態で収納棚６と干渉しない位置に、扉５と対向して内扉１６を備えている。内扉１６は透視可能な略長方形の材料、例えば透視可能な材料である透明なビニールで構成されているとともに、少なくとも扉５側表面には二酸化チタンがコーティングされており、貯蔵室上部の巻き取り軸１７に上端部を固定している。
【００４０】
巻き取り軸１７端部の左右どちらかにはモーター１８を備えており、モーター１８を回転させることにより、内扉１６を巻き上げ、巻き下げることができる。
【００４１】
貯蔵室１０の開口部近傍には、使用者の手や収納物の接近を検知するセンサーである赤外線センサー１９を備えており、内扉１６に使用者の手や収納物が接近した時にモーター１８により内扉１６を巻き上げる。
【００４２】
以上のように構成された冷蔵庫について、以下その動作を説明する。
【００４３】
冷蔵庫運転中、例えば圧縮機、放熱器、キャピラリー、冷却器からなる蒸気圧縮式冷却システム（図示せず）の一部である冷却器１１の蒸発気化熱により冷却された冷気は、ファン１２によりダクト１５を流れ、吹き出し口１４から貯蔵室１０内を冷却し、吸い込み口より吸い込まれ、冷却器１１にて再び冷却され貯蔵室１０内を循環する。この状態で内扉１６は巻き取り軸１７に巻き取られている。
【００４４】
扉５が開かれると、モーター１８により巻き取り軸１７が回転し、内扉１６が巻き下げられる。これにより、扉５を開いた時には内扉１６により貯蔵室１０内と外気が遮断されており、貯蔵室１０内の冷気が貯蔵室１０外に流出することはない。この時、収納棚６内に収納物を出し入れしない場合には内扉１６は扉５を閉めるまで開くことがなく、貯蔵室１０内の冷気は全く貯蔵室外に流出しない。
【００４５】
また、貯蔵室１０内に収納物を出し入れする場合には、使用者の手、または収納物が内扉１６近傍に接近したことを赤外線センサー１９により検出して内扉１６を開けるため、内扉１６は必要な時しか開くことはなく、貯蔵室１０内の貯蔵室１０外への流出は最小限に抑制される。
【００４６】
これにより、扉５が開いている時の貯蔵室１０内の温度上昇を最小限に抑えることができ、冷却システムの運転率を低くすることができる。従って、効率の高い冷蔵庫とすることができる。
【００４７】
次に、扉５が閉められると、モーター１８により巻き取り軸が回転し、内扉１６が巻き上げられる。この結果、扉５を閉めた時には内扉１６が開き、ファン１２による冷気の収納棚６への流れが内扉１６により妨げられることはない。
【００４８】
これにより、収納棚６内は低温に保たれ、収納棚６内の収納物の温度も低温に保たれる。従って、冷却性能の高い冷蔵庫とすることができる。
【００４９】
また、内扉１６は冷蔵庫内にあるため外気よりも温度が低くなる。従って、外気湿度が高い時には扉５を開けると内扉１６と外気の温度差により内扉１６表面に水分が結露し、内扉１６を通した貯蔵室１０内の視認性が悪くなり、内扉１６が閉じている間は貯蔵室１０の収納物を確認しにくく、扉５または内扉１６を開けている時間が長くなり、収納棚６内の収納物の温度が高くなる恐れがあった。
【００５０】
しかしながら、本実施の形態においては、内扉１６には親水性の二酸化チタンがコーティングされており、外気湿度が高くても内扉１６表面に結露した水分は内扉１６との接触角が小さくなるため内扉１６表面で水滴とならず、表面を濡らすだけであるので結露した水滴により曇りが発生することはない。従って、扉５及び内扉１６が開いている時の貯蔵室１０内の温度上昇を最小限に抑えることができ、冷却システムの運転率を低くすることができる。従って、効率の高い冷蔵庫とすることができる。
【００５１】
また、二酸化チタンは波長が４００ｎｍ以下の、例えば蛍光灯の光を受けると光触媒作用により表面の細菌や汚れを分解することができる。従って、扉５を開けている時に内扉１６表面の細菌や汚れを分解することができ、クリーンな冷蔵庫とすることができる。
【００５２】
尚、貯蔵室内が棚などにより複数に分割されている場合は、各棚ごとに内扉を設けることにより効果は高くなるが、機構が複雑になるという課題もある。
【００５３】
また、貯蔵室１０内に波長が４００ｎｍ以下の光を照射するランプを備え、扉５の開閉などに連動してＯＮ／ＯＦＦさせることにより、細菌や汚れの分解作用を積極的に行うことができる。
【００５４】
また、本実施の形態において、内扉を手動で巻き上げ、巻き下げする構成とした時には、本実施の形態のような利便性は無いものの、赤外線センサー１９やモーター１８などの構成部品が不要になるため冷蔵庫を安価に構成できる。
【産業上の利用可能性】
【００５５】
以上のように、本発明にかかる冷蔵庫は、扉により貯蔵室の開口部を開閉する機器であれば、冷却、加温にかかわらず、どんな機器にも適用することができる。
【図面の簡単な説明】
【００５６】
【図１】本発明の実施の形態１における冷蔵庫の扉を開けた時の正面図
【図２】本発明の実施の形態１における冷蔵庫の縦断面図
【図３】従来の冷蔵庫の扉を開けた状態の正面図
【図４】従来の冷蔵庫の縦断面図
【符号の説明】
【００５７】
３    開口部  
５    扉  
６    収納棚  
９    冷蔵庫本体（断熱箱体）
１０  貯蔵室
１６  内扉
１９  赤外線センサー（センサー）
【図２】
2009293894.tif 000003
【図３】
2009293894.tif 000004
【図４】
2009293894.tif 000005
【図１】
2009293894.tif 000006